【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
互いに直交する１以上のサブキャリアを用いた多重無線通信システムにおける送信装置であって、
送信信号に対しガード期間を付加してタイムスロット列を生成する送信処理前段部と、
前記タイムスロット列を送信する送信処理後段部と、を備え、
前記タイムスロット列の長さは前記システムで定められたフレームの長さより短く規定され、前記送信処理後段部は、前記タイムスロット列を送信した後から次のフレーム開始時間までの間信号送信を停止する
送信装置。
【請求項２】
前記送信処理前段部は、
送信信号の末尾の信号と同一の信号を先頭につなぎ合わせてガード期間付加してタイムスロット列を生成する
請求項１記載の送信装置。
【請求項３】
無線信号により信号送信タイミングの情報を抽出するタイミング生成部をさらに備えた
請求項１または２記載の送信装置。
【請求項４】
互いに直交する１以上のサブキャリアを用いた多重無線通信システムにおける送信装置であって、
送信信号に対しガード期間を付加してタイムスロット列を生成する送信処理前段部と、
前記タイムスロット列に対して電力ゼロの無信号期間であるフレームガード期間を付加してフレームを生成するフレーム生成部と、
前記フレームを送信する送信処理後段部と、
を備えた送信装置。
【請求項５】
互いに直交する１以上のサブキャリアを用いた多重無線通信システムにおける受信装置であって、
送信信号に対しガード期間を付加して生成されたタイムスロット列を受信する受信処理前段部と、
受信信号から前記タイムスロット列の先頭位置を検出する同期位置検出部と、を備え、
前記タイムスロット列の長さは前記システムで定められたフレームの長さより短く規定される
受信装置。
【請求項６】
前記ガード期間と送信信号を区別するウィンドニング部をさらに備えた
請求項５記載の受信装置。
【請求項７】
互いに直交する１以上のサブキャリアを用いた多重無線通信システムにおける受信装置であって、
送信信号に対しガード期間を付加して生成されたタイムスロット列を受信する受信処理前段部と、
受信信号から前記タイムスロット列の先頭位置を検出する同期位置検出部と、を備え、
前記タイムスロット列に対して電力ゼロの無信号期間であるフレームガード期間が付加されている
受信装置。
【請求項８】
互いに直交する１以上のサブキャリアを用いた多重無線通信システムであって、
無線信号を送信する送信装置と、
前記送信装置から送信された無線信号を受信する受信装置と、を有し、
前記送信装置は、
送信信号に対しガード期間を付加してタイムスロット列を生成する送信処理前段部と、
前記タイムスロット列を送信する送信処理後段部と、を備え、
前記タイムスロット列の長さは前記システムで定められたフレームの長さより短く規定され、前記送信処理後段部は、前記タイムスロット列を送信した後から次のフレーム開始時間までの間信号送信を停止し、
前記受信装置は、
前記送信装置で送信信号に対しガード期間を付加して生成され送信されたタイムスロット列を受信する受信処理前段部と、
受信信号から前記タイムスロット列の先頭位置を検出する同期位置検出部と、を備え、
前記タイムスロット列の長さは前記システムで定められたフレームの長さより短く規定される
通信システム。
【請求項９】
互いに直交する１以上のサブキャリアを用いた多重無線通信システムであって、
複数の通信端末局と、
それぞれ規定された地域にある上記通信端末局と所定の変調方式に従った信号で通信する複数の基地局と、
を有し、
前記複数の基地局のうち少なくとも一つには、
無線信号を送信する送信装置を含み、
前記通信端末局には、
前記送信装置から送信された無線信号を受信する受信装置を含み、
前記送信装置は、
送信信号に対しガード期間を付加してタイムスロット列を生成する送信処理前段部と、
前記タイムスロット列を送信する送信処理後段部と、を備え、
前記タイムスロット列の長さは前記システムで定められたフレームの長さより短く規定され、前記送信処理後段部は、前記タイムスロット列を送信した後から次のフレーム開始時間までの間信号送信を停止し、
前記受信装置は、
前記送信装置で送信信号に対しガード期間を付加して生成され送信されたタイムスロット列を受信する受信処理前段部と、
受信信号から前記タイムスロット列の先頭位置を検出する同期位置検出部と、を備え、
前記タイムスロット列の長さは前記システムで定められたフレームの長さより短く規定される
通信システム。
【請求項１０】
前記送信装置の前記送信処理前段部は、
送信信号の末尾の信号と同一の信号を先頭につなぎ合わせてガード期間付加してタイムスロット列を生成する
請求項８または９記載の通信システム。
【請求項１１】
前記送信装置は、
無線信号により信号送信タイミングの情報を抽出するタイミング生成部をさらに備えた
請求項８から１０のいずれか一に記載の通信システム。
【請求項１２】
前記受信装置は、
前記ガード期間と送信信号を区別するウィンドニング部をさらに備えた
請求項８から１１のいずれか一に記載の通信システム。
【請求項１３】
互いに直交する１以上のサブキャリアを用いた多重無線通信システムであって、
無線信号を送信する送信装置と、
前記送信装置から送信された無線信号を受信する受信装置と、を有し、
前記送信装置は、
送信信号に対しガード期間を付加してタイムスロット列を生成する送信処理前段部と、
前記タイムスロット列に対して電力ゼロの無信号期間であるフレームガード期間を付加してフレームを生成するフレーム生成部と、
前記フレームを送信する送信処理後段部と、を備え、
前記受信装置は、
前記送信装置で送信信号に対しガード期間を付加して生成され送信されたタイムスロット列を受信する受信処理前段部と、
受信信号から前記タイムスロット列の先頭位置を検出する同期位置検出部と、を備え、
前記タイムスロット列に対して電力ゼロの無信号期間であるフレームガード期間が付加されている
通信システム。
【請求項１４】
互いに直交する１以上のサブキャリアを用いた多重無線通信システムであって、
複数の通信端末局と、
それぞれ規定された地域にある上記通信端末局と所定の変調方式に従った信号で通信する複数の基地局と、
を有し、
前記複数の基地局のうち少なくとも一つには、
無線信号を送信する送信装置を含み、
前記通信端末局には、
前記送信装置から送信された無線信号を受信する受信装置を含み、
前記送信装置は、
送信信号に対しガード期間を付加してタイムスロット列を生成する送信処理前段部と、
前記タイムスロット列に対して電力ゼロの無信号期間であるフレームガード期間を付加してフレームを生成するフレーム生成部と、
前記フレームを送信する送信処理後段部と、を備え、
前記受信装置は、
前記送信装置で送信信号に対しガード期間を付加して生成され送信されたタイムスロット列を受信する受信処理前段部と、
受信信号から前記タイムスロット列の先頭位置を検出する同期位置検出部と、を備え、
前記タイムスロット列に対して電力ゼロの無信号期間であるフレームガード期間が付加されている
通信システム。
【手続補正２】
【補正対象書類名】明細書
【補正対象項目名】０００７
【補正方法】変更
【補正の内容】
【０００７】
たとえばＯＦＤＭ伝送方式を採用した通信システムでは、図１８に示すように、有効シンボル期間ＴＳＢＬにガード期間ＴＧＤを加えた期間を１タイムスロット期間ＴＳＬＴとし、複数のタイムスロットを束ねて一つのフレームＦＲＭとして基地局ＢＳから送信される。ここに示す例では、１フレームＦＲＭは３タイムスロットで構成される。
基地局ＢＳは、互いに同期を取っており、同じタイミングでフレームを送信している。
【手続補正３】
【補正対象書類名】明細書
【補正対象項目名】００１３
【補正方法】変更
【補正の内容】
【００１３】
ここで、ある移動局の受信状況を考察する。
移動局は希望波ＤＳＷの他に、同一チャネル干渉波ＩＦＷを受信する。通常は、干渉波ＩＦＷより希望波ＤＳＷの受信信号強度が非常に強いので問題にはならない。
しかし、移動局の移動などにともなうフェーディングなどにより、希望波ＤＳＷ、干渉波ＩＦＷの受信信号強度は時々刻々変化する。
希望波ＤＳＷ、干渉波ＩＦＷのフェーディング、すなわち、希望波ＤＳＷと干渉波ＩＦＷの受信信号強度の揺らぎ方は一般に無相関であるため、希望波ＤＳＷの受信信号強度が小さくなっているときに、干渉波ＩＦＷの受信信号強度が大きくなることがあり得る。このとき、干渉により受信不能になることがある。
一般に、希望波ＤＳＷの発信源である基地局よりも、干渉波ＩＦＷの発信源である基地局までの距離の方が長いため、干渉波ＩＦＷは希望波ＤＳＷよりも若干遅れて移動局に到来する。
【手続補正４】
【補正対象書類名】明細書
【補正対象項目名】００３１
【補正方法】変更
【補正の内容】
【００３１】
以上説明したように、本発明によれば、繰返しセル数を少なくした、すなわち同一チャネルを使用する基地局間の距離を小さくし、無線チャネルの有効利用を図ったシステムにおいても、同一チャネル干渉によるフレーム損失を少なくすることができる。
そして、本発明によれば、所要の誤り率を維持しつつ繰返しセル数を少なくでき、周波数資源の有効活用を図ることができる利点がある。
【手続補正５】
【補正対象書類名】明細書
【補正対象項目名】００３６
【補正方法】変更
【補正の内容】
【００３６】
このＯＦＤＭ通信システム１では、図１に示すように、移動端末局Ｍ１は、データエラーによるパケットの再送制御（ＡＲＱ：Automatic Request for Repetition）などの制御信号は、既存の基地局Ｂ１、ネットワーク（携帯電話網）Ｎ１を経由して伝送する。
高速ダウンリンクシステムの伝送容量は、既存の携帯電話システムの伝送容量に比べて非常に大容量となっており、移動端末局Ｍ１がダウンロードする画像、動画なとの大量のデジタルコンテンツは、この高速ダウンリンクシステムを経由して、高速に短時間で伝送する。情報は全てＩＰでやりとりされる。
高速ダウンリンクシステム用のデータ通信網Ｎ３はインターネット等のデータ通信網Ｎ２とも接続されている。また、この高速ダウンリンク用データ通信網Ｎ３は、ネットワークＮ１とも接続されており、各種制御信号などは、この携帯電話の基地局Ｂ１からネットワークＮ１を経由して、高速ダウンリンクシステム用データ通信網Ｎ３に伝送される。
【手続補正６】
【補正対象書類名】明細書
【補正対象項目名】００４５
【補正方法】変更
【補正の内容】
【００４５】
ここで、図２のＯＦＤＭ通信システム１Ａの通信例を説明する。
移動端末局から発せられたダウンロード要求は、既存の携帯電話基地局Ｂ１やＢ３、携帯電話網でなるネットワークＮ１を経由して、高速ダウンリンクシステムのネットワーク網にある制御センタＣＴＲに伝送される。制御センタＣＴＲは、このダウンロード要求をインターネット等のデータ通信網Ｎ２に対して行う。データ通信網Ｎ２から伝送されてくるデジタルデータコンテンツは、制御センタＣＴＲから、高速ダウンリンクシステムのネットワーク網、基地局Ｂ２，Ｂ４を経由して移動端末局へ届けられる。
データエラーなどに伴う再送制御などの制御信号も、既存の携帯電話基地局、携帯電話ネットワーク網を経由して高速ダウンリンクシステムのネットワーク網にある制御センタＣＴＲに伝送される。制御センタＣＴＲは移動端末局の要求するデジタルデータコンテンツを、高速ダウンリンワシステムのネットワーク網、基地局を経由して移動端末局へ再送する。
【手続補正７】
【補正対象書類名】明細書
【補正対象項目名】００５０
【補正方法】変更
【補正の内容】
【００５０】
以上のように、有効シンボル期間ＴＳＢＬにガード期間ＴＧＤを付加されたタイムスロット列にフレームガード期間ＴＦＧＤとしてフレームが構成されたＯＦＤＭ信号の送信装置は基地局に搭載され、この送信装置から送信されたＯＦＤＭ信号を受信する移動端末局Ｍ１〜Ｍ３には、フレームガード期間が付加されたＯＦＤＭ信号をより正確に同期することが可能な受信装置が搭載されている。
【手続補正８】
【補正対象書類名】明細書
【補正対象項目名】００９４
【補正方法】変更
【補正の内容】
【００９４】
Ｄ／Ａ変換部１１３では、フレーム生成部１１０で生成されたデジタルフレームデータをアナログデータに変換された後、直交変調部１１４で所定の変調方式に従って直交変調され、周波数変換部１１５で所要の周波数帯に周波数変換されて送信される。